(57)【要約】【課題】従来の切削してある円錐形状鉛筆と嵌合接着出来る、鉛筆の先端を凹円錐形状に切削する用具を提供する。【解決手段】切削錐又は切削刃を付設した円錐形状切削具或いは円錐形状体に縦溝を設け、円錐形状体の中の一部又は全部を空洞にして、中から切削刃を溝から少し出して固設した空洞円錐形状切削具を、これに接触しない鉛筆挿入筒の中に入れ、共に台座に固定する。鉛筆を鉛筆挿入筒の中に入れて、鉛筆或いは台座を回転させて鉛筆先端を凹円錐形状に切削する。凹円錐形状は、従来使用の鉛筆先端円錐切削形状とほぼ隙間無く嵌合する形状とする。接着剤により相互を接合接着する。【選択図】図１
2005254781.tif 000002
【特許請求の範囲】
【請求項１】
筒状体とその中にある、斜面に沿って切削刃のある角錐体又は斜面に沿って切削刃を付設した円錐形状切削具或いは斜面に沿って開けた溝の内部から切削刃を出して付設した空洞円錐形切削具とを、それを受ける台座の中に固定した、鉛筆の端を凹円錐形状に切削する切削用具。
【発明の詳細な説明】
【技術分野】
【０００１】  本発明は、鉛筆の先端を凹円錐形状に切削する用具に関するものである。
【背景技術】
【０００２】  従来、鉛筆は、使って短くなり鉛筆削り器により先端が削れなくなると、捨てられていた。切り出しナイフなどにより削っても完全に使い切ることは出来ず、省資源上問題があった。又は短くなった鉛筆を「接続し繋ぎ合わせる端末形状鉛筆とその切削方法」がある。（特許文献参照）が問題が残されていた。【０００３】
【特許文献】  特開２００３−０６３１９１号
【発明の開示】
【発明が解決しようとする課題】
【０００４】  本発明は、短くなった鉛筆を完全に使い切る方法とその用具に関するものである。特許文献の特開２００３−０６３１９１号は、短くなった鉛筆を完全に使い切る方法とその用具を提供するものであるが、その鉛筆端末の切削は、鉛筆の横に対して直角方向に切削する方法であるため、鉛筆が縦方向に裂けたり、切削部分が欠ける場合が多く、完全な方法では無かった。又相対して接合する、異なる端末形状に切削する二つの切削具が必要であり、簡単な安い用具とは言えなかった。
本発明は、これらの問題点を解決するためになされたものである。
【問題を解決するための手段】
【０００５】  三面以上の多面切削錐又は円錐形状体の斜面に沿って切削刃を円錐斜面から少し出し、斜面の平滑性を保つように固定した円錐形切削具或いは、空洞円錐形状体の内部に、斜面に沿って開けた溝から切削刃を出して固定した円錐形切削具を台座の中心に固設して、円筒の中に切削具が触れない状態で入れ、円筒と台座が動かないように固定する。端末を切削する鉛筆を筒の中に入れて、鉛筆或いは切削具と台座を回転させて、鉛筆の先端を凹状の円錐形に切削する。
【０００６】  既に先端を円錐状に切削してある一般の鉛筆と凹円錐形状に切削した鉛筆とを接着剤を介して嵌合接続する。凸円錐形状と凹円錐形状しは、正逆同一形状であることが必要である。又外形が同じ鉛筆同志の接合が望ましい。
【発明の効果】
【０００７】  鉛筆の先端を切削する方法が、鉛筆の縦方向に、又少しづつ削り取っていく方法であるため、鉛筆先端が、割れたり、欠けたりすることがない。
【０００８】  既に使用されている先端が円錐形状の鉛筆を、一部でも捨てることなく、完全に使い切ることが出来る省資源と廃棄物を完全に無くす効果のある方法であり、用具である。
【０００９】  特に水彩画用を含め、色鉛筆を無駄無く完全に使用出来る。
【００１０】  小人でも安全に使うことが出来て、又接着剤も少量で済む安価な文房具となる。
【発明の実施するための最良の形態】
【００１１】  以下、本発明の実施の形態について、実施例により説明する。
図１は、切削具を四面切削角錐１とし、鉛筆挿入筒５の中で接すること無く台座３の中心に埋設した状態における縦断面拡大図である。鉛筆の端末を凹円錐形状に切削する四面切削錐１の中心から伸びる切削具シャフト２が円筒形の台座３の中心に埋設固定してある。台座の外形は必ずしも円筒形である必要はない。台座３の台座凹部４に四面切削錐１が未接触で入る鉛筆挿入筒５が収めてある。鉛筆挿入筒５の外形と台座凹部４の内形とは図１の場合は円筒形であるが、必ずしも同一である必要はない。しかし、鉛筆挿入筒５と台座３とは、組み合わせたときに、台座３の内部に開けた嵌合穴６に、鉛筆挿入筒５の一部分凸状部７が入り、互いに横回転方向にはずれ動かないようにしておく。その箇所は複数でも良い。
【００１２】  図２は、図１の上部から見た平面図であるが、四面切削錐１は、三面切削錐でもよい。
【００１３】  又図３のごとく、円錐形状体８の斜面に、この斜面に沿った形状で、その斜面より切削刃９を少し出して、切削刃９本体の厚み分を切削して埋設し、更に円錐形の形状と表面平滑性を保つように加工して留め具１１で固定した円錐形状切削具１０としてもよい。
【００１４】  図４は、円錐形状削具の内、切削具シャフト２の接続部を除き、円錐形状体８の内部を一部空洞にして、その外部の円錐斜面に沿って溝穴１２を開け、その溝から切削刃９を少し円錐形外部に出して、円錐斜面に沿って切削刃９を留め具１１で内部に固設し、留め具の頭部を円錐形状に倣って平滑にした、その空洞円錐形状切削具１３の側面図である。又は鉛筆の先端を凹形状に切削するときの切り屑が溝から入って落下する空洞を残して切削刃９の本体を硬化樹脂などで円錐形内部に埋設して、切削刃９を固設する。切削具シャフト２は、鉛筆の切削屑の出る穴を残して空洞円錐形状切削具１３と一体にしておくか、円空洞円錐形状切削具１３と切削具シャフト２とが動くことのない、鉛筆切削屑の落ちる別の固定具で固結しておく。以上により鉛筆の切削時に、切削屑が溝穴１２から入り、鉛筆の切削が容易になる。
【００１５】  四面切削錐１や三面切削錐又は円錐形状切削具８や空洞円錐形状切削具１３を鉛筆挿入筒５の中に入れ、その切削具シャフト２を台座３の中心に、接着剤などを介して埋設固定する。又切削具シャフト２を円柱でなく角柱形状にする。或いは、さらに先端をシャフト径よりも大きくするか、Ｌ字形状などにして熱可塑性硬質プラスチックによる台座３を射出成形により得るときに、同時埋設すると鉛筆の回転切削の永続使用に耐えることが出来る。
【００１６】  鉛筆挿入筒５は、鉛筆が入り回転出来る間隙があればよい。鉛筆の切削屑は、その隙間から、又は空洞円錐形状切削具１３による場合は、円錐形状体８の内部より台座凹部４に溜まる。鉛筆挿入筒５と台座３とを離して、切削屑を廃棄する。
【００１７】  四面切削錐１などや切削刃９さらに切削具シャフト２は、鋼材質であるが、その他の円錐形状切削具１０や空洞円錐形状切削具１３或いは鉛筆挿入筒５や台座３は、プラスチックなどの硬質材を使用する。切削具シャフト２は、円錐形状切削具の材質によっは同じ硬質プラスチックなどでもよい。
【００１８】  凹形の円錐形状１４に切削した円柱形状鉛筆は、図５の鉛筆接合関係側面図のごとく既に凸形の円錐形状１５に切削してある円柱形状鉛筆１６とほぼ隙間なく嵌合する相互形状であることが必要である。鉛筆の接合接着は、木質系の接着剤でもよいし、瞬間接着剤でも容易に接続出来、又直ぐに鉛筆削り器で切削することが出来て、従来短くなって使用出来ず、廃棄されていた鉛筆が皆無となる。
【００１９】  外形の異なる円形状鉛筆と六角形状鉛筆などとの接合、接続も可能である。
【図面の簡単な説明】
【００２０】
【図１】切削具を四面切削錐とする実施例の中心における縦断面図である。
【図２】図１の上面から見た平面図である。
【図３】切削刃を斜面に取り付けた円錐形状切削具の実施例の側面図である。
【図４】円錐斜面の内部から切削刃を出して、内部で切削刃を固設した空洞円錐形状切削具の実施例の側面図である。
【図５】円柱形状鉛筆先端の凸円錐形状と凹円錐形状の接合関係を示す側面図である。
【符号の説明】
【００２１】  １  四面切削錐
２  切削具シャフト
３  台座
４  台座凹部
５  鉛筆挿入筒
６  嵌合穴
７  凸状部
８  円錐形状体
９  切削刃
１０  円錐形状切削具
１１  留め具
１２  溝穴
１３  空洞円錐形状切削具
１４  凹形の円錐形状
１５  凸形の円錐形状
１６  円柱形状鉛筆
【図１】
2005254781.tif 000003
【図２】
2005254781.tif 000004
【図３】
2005254781.tif 000005
【図４】
2005254781.tif 000006
【図５】
2005254781.tif 000007